(57)【要約】【課題】本発明は古紙を快速に回収して再利用する設備を開示した。【解決手段】主体を含み、前記主体の中には砕きチャンバが設置され、前記砕きチャンバの中には古紙を細々に砕くことができる砕き機構が設置され、前記砕き機構は水平に回転する第一砕きファンと鉛直に回転する第二砕きファンとを含み、前記第一砕きファンと前記第二砕きファンとがいずれも複数設置され、それによって古紙をより効果的に砕くことができ、古紙をより細かく砕くことができ、前記砕きチャンバの底壁の中には動力チャンバが設置され、本発明は複数の第二砕きファンと第一砕きファンとを設置することによって、古紙への砕く作業はより細かくなり、その他、本発明の砕き機構と撹拌機構との間が互いに連動し、砕き機構と撹拌機構とがいずれも動力機構によって動力を提供し、それによってデザインがより巧妙で、モーターの数を省き、コストを制御する。【選択図】図１
2020200568.tif 000002
【特許請求の範囲】
【請求項１】
正面視で、主体を含み、前記主体の中には砕きチャンバが設置され、前記砕きチャンバの中には古紙を細々に砕くことができる砕き機構が設置され、前記砕き機構は水平に回転する第一砕きファンと鉛直に回転する第二砕きファンとを含み、前記第一砕きファンと前記第二砕きファンとがいずれも複数設置され、それによって古紙をより効果的に砕くことができ、古紙をより細かく砕くことができ、前記砕きチャンバの底壁の中には動力チャンバが設置され、前記動力チャンバの中には動力機構が設置され、前記動力チャンバの底部の前記主体の中には撹拌チャンバが設置され、前記撹拌チャンバの中には撹拌機構が設置され、前記撹拌機構は水を古紙と混合することができ、前記動力機構は前記砕き機構と前記撹拌機構とに動力を提供でき、
前記撹拌チャンバの右壁には混合剤ケースが取り外されるように取り付けられ、前記混合剤ケースは前記撹拌チャンバの中に混合剤を加えることができ、それによってパルプが一定の粘着性を持ち、後続のマッチを調製する作業に便利を与え、前記撹拌チャンバの底壁には下方に伸びるように設置されたパルプ出し口が設置され、前記パルプ出し口の底部は開口しており、それによって均等的に混合されたパルプは前記撹拌チャンバから流し出すことができ、前記パルプ出し口の右壁にはスライド溝が形成されており、前記スライド溝の中には止め板が設置され、前記止め板は前記パルプ出し口を閉鎖することができることを特徴とする古紙を快速に回収して再利用する設備。
【請求項２】
前記砕きチャンバの左右両側端壁の中にはいずれも伝動チャンバが設置され、二つの前記伝動チャンバの互いに離れている片側にはいずれもベルトチャンバが設置され、各の前記ベルトチャンバと前記砕きチャンバとの間にはいずれも左右に伸びるように設置された長軸が回転できるように設置され、前記第二砕きファンが前記長軸の外周に固定的に設置され、且つ前記第二砕きファンが前記砕きチャンバの中に位置しており、前記ベルトチャンバの中に位置している前記長軸の外周には従動プーリが固定的に設置され、前記伝動チャンバの中に位置している前記長軸の外周には動力ギヤが固定的に設置され、前記長軸の上下両側にはいずれも短軸が回転できるように設置され、前記動力ギヤが前記短軸の右端に固定的に設置され、前記短軸の片側末端にはまた前記第二砕きファンが固定的に設置され、上側と、中間と、下側との三つの前記第二砕きファンが互いに作動し合って古紙を砕き、前記短軸のもう片側には従動ギヤが固定的に設置され、前記従動ギヤが前記動力ギヤと噛み合っていることを特徴とする請求項１に記載の古紙を快速に回収して再利用する設備。
【請求項３】
前記動力チャンバの頂壁には二つの縦向き砕き軸が回転できるように設置され、二つの前記縦向き砕き軸がいずれも上下に伸びるように設置され、前記砕きチャンバの中の前記縦向き砕き軸の外周にはいずれも前記第一砕きファンが固定的に設置され、左右両側の前記第一砕きファンが互いに作動し合って古紙を砕き、前記縦向き砕き軸の底端にはいずれも前記動力チャンバの中に位置している従動ベベルギヤが固定的に設置されていることを特徴とする請求項２に記載の古紙を快速に回収して再利用する設備。
【請求項４】
前記動力機構は第一モーターを含み、前記第一モーターが左側の前記ベルトチャンバの左壁の中に固定的に嵌められ、前記動力チャンバの中には左右に伸びるように設置された動力軸が回転できるように設置され、前記動力軸の左端が左側の前記ベルトチャンバの中に伸びており、且つ前記第一モーターと動力が伝達できるように連結され、前記動力軸の右側の伸びている部分が右側の前記ベルトチャンバの中に伸びており、二つの前記ベルトチャンバの中の前記動力軸の外周にはいずれも動力プーリが固定的に設置され、前記動力プーリと前記従動プーリとがベルトによって連結され、前記動力チャンバの中の前記動力軸の外周には二つの左右対称の動力ベベルギヤが固定的に設置され、前記動力ベベルギヤと前記従動ベベルギヤとが噛み合っており、二つの前記動力ベベルギヤの間の前記動力軸の外周には伝動ベベルギヤが固定的に設置されていることを特徴とする請求項３に記載の古紙を快速に回収して再利用する設備。
【請求項５】
前記砕きチャンバと前記撹拌チャンバとの間が通路によって連通され、前記通路の中部部分が後ろに曲がって前記動力軸の後側を経由し、前記通路の左側壁体には空気圧縮ポンプが設置され、前記空気圧縮ポンプは古紙を前記砕きチャンバから前記撹拌チャンバの中に吸い込むことができることを特徴とする請求項４に記載の古紙を快速に回収して再利用する設備。
【請求項６】
前記撹拌機構は前記撹拌チャンバと前記動力チャンバとの間に回転できるように設置された撹拌軸を含み、前記撹拌軸は上下に伸びるように設置され、前記撹拌軸の頂端には前記動力チャンバの中に位置している底部ベベルギヤが固定的に設置され、前記底部ベベルギヤと前記伝動ベベルギヤとが噛み合っており、前記撹拌チャンバの中に位置している前記撹拌軸の外周には三つの撹拌ファンが固定的に設置されていることを特徴とする請求項１に記載の古紙を快速に回収して再利用する設備。
【請求項７】
前記撹拌チャンバの左側壁体には水入り管路が設置され、前記水入り管路の中にはウォーターパイプが固定的に設置され、前記水入り管路の左側が外部の水源と連通していることを特徴とする請求項１に記載の古紙を快速に回収して再利用する設備。
【請求項８】
前記止め板が前記スライド溝の中にスライドできるように設置され、前記止め板の底端には復帰機構が固定的に設置され、前記スライド溝の右側には小空きチャンバが連通するように設置され、前記小空きチャンバの頂壁の中には第二モーターが固定的に嵌められ、前記第二モーターの底端にはリールが動力が伝達できるように連結され、前記リールと前記止め板の右端との間が引き紐によって連結されていることを特徴とする請求項１に記載の古紙を快速に回収して再利用する設備。
【請求項９】
前記主体の底端には古紙出し管路が固定的に設置され、前記古紙出し管路によって外部空間と前記パルプ出し口とが連通され、前記主体の頂端には送り込みホッパが固定的に設置され、前記送り込みホッパには蓋が設置されていることを特徴とする請求項１に記載の古紙を快速に回収して再利用する設備。
【請求項１０】
前記混合剤ケースの中には圧力かけチャンバが設置され、前記圧力かけチャンバの右側には混合剤チャンバが設置され、前記混合剤チャンバの中には混合剤が貯蔵されており、前記圧力かけチャンバの右側内壁にはクランク軸チャンバが設置され、前記クランク軸チャンバの底壁の中にはクランク軸モーターが固定的に嵌められ、前記クランク軸モーターの頂端にはクランク軸が動力が伝達できるように連結され、前記クランク軸の外周にはコンロッドが回転できるように設置され、前記圧力かけチャンバの中には弾性中空ボールが固定的に設置され、前記弾性中空ボールの上側には連通パイプが連通するように設置され、前記連通パイプのもうひとつの側が前記混合剤チャンバの中に伸びており、前記弾性中空ボールの底部と前記撹拌チャンバとが連通しており、前記クランク軸チャンバの中には凸面スライド板がスライドできるように設置され、前記凸面スライド板の右側面には固定ロッドが固定的に設置され、前記固定ロッドと前記コンロッドとがヒンジで連結されていることを特徴とする請求項７に記載の古紙を快速に回収して再利用する設備。
【発明の詳細な説明】
【技術分野】
【０００１】
本発明は古紙の回収技術分野に関わり、具体的には古紙を快速に回収して再利用する設備である。
【背景技術】
【０００２】
古紙は、生産生活の中で使用された後に廃棄された循環できて再生可能な資源を一般的に指し、それは上等紙やボール紙や廃棄紙箱や切断紙や梱包紙や企業事務所用紙や工程用紙や刊行物やなどを含む。
我が国では、古紙の循環再利用の程度は西側先進国と比べてより低く、多数の古紙は直接にゴミとして燃やされ又は埋め立てられ、こうして大量の資源を浪費し、古紙は着火点が低く、マッチ棒に作られることができ、従って、古紙を快速に砕いてパルプに作り出す設備をデザインする必要があり、それはマッチ棒の作りに便利を与える。
【先行技術文献】
【特許文献】
【０００３】
【特許文献１】中国特許出願公開第１０８６４２９３９号明細書
【発明の概要】
【発明が解決しようとする課題】
【０００４】
本発明は古紙を快速に回収して再利用する設備を提供し、既存技術にある上記欠点を解消することを目的とする。
【課題を解決するための手段】
【０００５】
本発明の実施例の古紙を快速に回収して再利用する設備は、主体を含み、前記主体の中には砕きチャンバが設置され、前記砕きチャンバの中には古紙を細々に砕くことができる砕き機構が設置され、前記砕き機構は水平に回転する第一砕きファンと鉛直に回転する第二砕きファンとを含み、前記第一砕きファンと前記第二砕きファンとがいずれも複数設置され、それによって古紙をより効果的に砕くことができ、古紙をより細かく砕くことができ、前記砕きチャンバの底壁の中には動力チャンバが設置され、前記動力チャンバの中には動力機構が設置され、前記動力チャンバの底部の前記主体の中には撹拌チャンバが設置され、前記撹拌チャンバの中には撹拌機構が設置され、前記撹拌機構は水を古紙と混合することができ、前記動力機構は前記砕き機構と前記撹拌機構とに動力を提供でき、前記撹拌チャンバの右壁には混合剤ケースが取り外されるように取り付けられ、前記混合剤ケースは前記撹拌チャンバの中に混合剤を加えることができ、それによってパルプが一定の粘着性を持ち、後続のマッチを調製する作業に便利を与え、前記撹拌チャンバの底壁には下方に伸びるように設置されたパルプ出し口が設置され、前記パルプ出し口の底部は開口しており、それによって均等的に混合されたパルプは前記撹拌チャンバから流し出すことができ、前記パルプ出し口の右壁にはスライド溝が形成されており、前記スライド溝の中には止め板が設置され、前記止め板は前記パルプ出し口を閉鎖することができる。
【０００６】
さらなる技術プランには、前記砕きチャンバの左右両側端壁の中にはいずれも伝動チャンバが設置され、二つの前記伝動チャンバの互いに離れている片側にはいずれもベルトチャンバが設置され、各の前記ベルトチャンバと前記砕きチャンバとの間にはいずれも左右に伸びるように設置された長軸が回転できるように設置され、前記第二砕きファンが前記長軸の外周に固定的に設置され、且つ前記第二砕きファンが前記砕きチャンバの中に位置しており、前記ベルトチャンバの中に位置している前記長軸の外周には従動プーリが固定的に設置され、前記伝動チャンバの中に位置している前記長軸の外周には動力ギヤが固定的に設置され、前記長軸の上下両側にはいずれも短軸が回転できるように設置され、前記動力ギヤが前記短軸の右端に固定的に設置され、前記短軸の片側末端にはまた前記第二砕きファンが固定的に設置され、上側と、中間と、下側との三つの前記第二砕きファンが互いに作動し合って古紙を砕き、前記短軸のもう片側には従動ギヤが固定的に設置され、前記従動ギヤが前記動力ギヤと噛み合っている。
【０００７】
さらなる技術プランには、前記動力チャンバの頂壁には二つの縦向き砕き軸が回転できるように設置され、二つの前記縦向き砕き軸がいずれも上下に伸びるように設置され、前記砕きチャンバの中の前記縦向き砕き軸の外周にはいずれも前記第一砕きファンが固定的に設置され、左右両側の前記第一砕きファンが互いに作動し合って古紙を砕き、前記縦向き砕き軸の底端にはいずれも前記動力チャンバの中に位置している従動ベベルギヤが固定的に設置されている。
【０００８】
さらなる技術プランには、前記動力機構は第一モーターを含み、前記第一モーターが左側の前記ベルトチャンバの左壁の中に固定的に嵌められ、前記動力チャンバの中には左右に伸びるように設置された動力軸が回転できるように設置され、前記動力軸の左端が左側の前記ベルトチャンバの中に伸びており、且つ前記第一モーターと動力が伝達できるように連結され、前記動力軸の右側の伸びている部分が右側の前記ベルトチャンバの中に伸びており、二つの前記ベルトチャンバの中の前記動力軸の外周にはいずれも動力プーリが固定的に設置され、前記動力プーリと前記従動プーリとがベルトによって連結され、前記動力チャンバの中の前記動力軸の外周には二つの左右対称の動力ベベルギヤが固定的に設置され、前記動力ベベルギヤと前記従動ベベルギヤとが噛み合っており、二つの前記動力ベベルギヤの間の前記動力軸の外周には伝動ベベルギヤが固定的に設置されている。
【０００９】
さらなる技術プランには、前記砕きチャンバと前記撹拌チャンバとの間が通路によって連通され、前記通路の中部部分が後ろに曲がって前記動力軸の後側を経由し、前記通路の左側壁体には空気圧縮ポンプが設置され、
前記空気圧縮ポンプは古紙を前記砕きチャンバから前記撹拌チャンバの中に吸い込むことができる。
【００１０】
さらなる技術プランには、前記撹拌機構は前記撹拌チャンバと前記動力チャンバとの間に回転できるように設置された撹拌軸を含み、前記撹拌軸は上下に伸びるように設置され、前記撹拌軸の頂端には前記動力チャンバの中に位置している底部ベベルギヤが固定的に設置され、前記底部ベベルギヤと前記伝動ベベルギヤとが噛み合っており、前記撹拌チャンバの中に位置している前記撹拌軸の外周には三つの撹拌ファンが固定的に設置されている。
【００１１】
さらなる技術プランには、前記撹拌チャンバの左側壁体には水入り管路が設置され、前記水入り管路の中にはウォーターパイプが固定的に設置され、前記水入り管路の左側が外部の水源と連通している。
【００１２】
さらなる技術プランには、前記止め板が前記スライド溝の中にスライドできるように設置され、前記止め板の底端には復帰機構が固定的に設置され、前記スライド溝の右側には小空きチャンバが連通するように設置され、前記小空きチャンバの頂壁の中には第二モーターが固定的に嵌められ、前記第二モーターの底端にはリールが動力が伝達できるように連結され、前記リールと前記止め板の右端との間が引き紐によって連結されている。
【００１３】
さらなる技術プランには、前記主体の底端には古紙出し管路が固定的に設置され、前記古紙出し管路によって外部空間と前記パルプ出し口とが連通され、前記主体の頂端には送り込みホッパが固定的に設置され、前記送り込みホッパには蓋が設置されている。
【００１４】
さらなる技術プランには、前記混合剤ケースの中には圧力かけチャンバが設置され、前記圧力かけチャンバの右側には混合剤チャンバが設置され、前記混合剤チャンバの中には混合剤が貯蔵されており、前記圧力かけチャンバの右側内壁にはクランク軸チャンバが設置され、前記クランク軸チャンバの底壁の中にはクランク軸モーターが固定的に嵌められ、前記クランク軸モーターの頂端にはクランク軸が動力が伝達できるように連結され、前記クランク軸の外周にはコンロッドが回転できるように設置され、前記圧力かけチャンバの中には弾性中空ボールが固定的に設置され、前記弾性中空ボールの上側には連通パイプが連通するように設置され、前記連通パイプのもうひとつの側が前記混合剤チャンバの中に伸びており、前記弾性中空ボールの底部と前記撹拌チャンバとが連通しており、前記クランク軸チャンバの中には凸面スライド板がスライドできるように設置され、前記凸面スライド板の右側面には固定ロッドが固定的に設置され、前記固定ロッドと前記コンロッドとがヒンジで連結されている。
【発明の効果】
【００１５】
本発明の有益な効果は：本発明の古紙の回収再利用設備は古紙を砕くことができ、また複数の第二砕きファンと第一砕きファンとを設置することによって、古紙への砕く作業はより細かくなり、それによって古紙をパルプに生成させることに便利を与え、撹拌機構は混合剤と、水と、古紙とを十分に均等的に混合攪拌してパルプの状態にさせることができ、また止め板の機構のデザインによってパルプを手動で取り出す必要はなく、第二モーターを制御して作動させればよく、パルプを古紙出し通路を次の工程に流すことに便利であり、その他、砕き機構と撹拌機構との間が互いに連動し、砕き機構と撹拌機構とがいずれも動力機構によって動力を提供し、それによってデザインがより巧妙で、モーターの数を省き、コストを制御する。
【図面の簡単な説明】
【００１６】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明の古紙を快速に回収して再利用する設備の内部全体構成概略図
【図２】図２は本発明の中の動力機構のところの部分拡大概略図
【図３】図３は本発明の図１の中のＡの部分拡大概略図
【図４】図４は本発明の図１の中のＢの部分拡大概略図
【図５】図５は本発明の中の混合剤ケースの内部構成概略図
【発明を実施するための形態】
【００１８】
図１〜５を参照し、本発明の実施例の古紙を快速に回収して再利用する設備は、主体１０を含み、前記主体１０の中には砕きチャンバ２３が設置され、前記砕きチャンバ２３の中には古紙を細々に砕くことができる砕き機構６１が設置され、前記砕き機構６１は水平に回転する第一砕きファン２６と鉛直に回転する第二砕きファン４２とを含み、前記第一砕きファン２６と前記第二砕きファン４２とがいずれも複数設置され、それによって古紙をより効果的に砕くことができ、古紙をより細かく砕くことができ、前記砕きチャンバ２３の底壁の中には動力チャンバ３１が設置され、前記動力チャンバ３１の中には動力機構６２が設置され、前記動力チャンバ３１の底部の前記主体１０の中には撹拌チャンバ１５が設置され、前記撹拌チャンバ１５の中には撹拌機構６３が設置され、前記撹拌機構６３は水を古紙と混合することができ、前記動力機構６２は前記砕き機構６１と前記撹拌機構６３とに動力を提供でき、前記撹拌チャンバ１５の右壁には混合剤ケース１８が取り外されるように取り付けられ、前記混合剤ケース１８は前記撹拌チャンバ１５の中に混合剤を加えることができ、それによってパルプが一定の粘着性を持ち、後続のマッチを調製する作業に便利を与え、前記撹拌チャンバ１５の底壁には下方に伸びるように設置されたパルプ出し口２０が設置され、前記パルプ出し口２０の底部は開口しており、それによって均等的に混合されたパルプは前記撹拌チャンバ１５から流し出すことができ、前記パルプ出し口２０の右壁にはスライド溝４１が形成されており、前記スライド溝４１の中には止め板３５が設置され、前記止め板３５は前記パルプ出し口２０を閉鎖することができる。
【００１９】
有益な又は例示のように、前記砕きチャンバ２３の左右両側端壁の中にはいずれも伝動チャンバ４４が設置され、二つの前記伝動チャンバ４４の互いに離れている片側にはいずれもベルトチャンバ４９が設置され、各の前記ベルトチャンバ４９と前記砕きチャンバ２３との間にはいずれも左右に伸びるように設置された長軸４８が回転できるように設置され、前記第二砕きファン４２が前記長軸４８の外周に固定的に設置され、且つ前記第二砕きファン４２が前記砕きチャンバ２３の中に位置しており、前記ベルトチャンバ４９の中に位置している前記長軸４８の外周には従動プーリ４７が固定的に設置され、前記伝動チャンバ４４の中に位置している前記長軸４８の外周には動力ギヤ４６が固定的に設置され、前記長軸４８の上下両側にはいずれも短軸４５が回転できるように設置され、前記動力ギヤ４６が前記短軸４５の右端に固定的に設置され、前記短軸４５の片側末端にはまた前記第二砕きファン４２が固定的に設置され、上側と、中間と、下側との三つの前記第二砕きファン４２が互いに作動し合って古紙を砕き、前記短軸４５のもう片側には従動ギヤ４３が固定的に設置され、前記従動ギヤ４３が前記動力ギヤ４６と噛み合っており、
前記長軸４８の回転によって、前記第二砕きファン４２が古紙を紙の切れ端に砕く。
【００２０】
有益な又は例示のように、前記動力チャンバ３１の頂壁には二つの縦向き砕き軸２７が回転できるように設置され、二つの前記縦向き砕き軸２７がいずれも上下に伸びるように設置され、前記砕きチャンバ２３の中の前記縦向き砕き軸２７の外周にはいずれも前記第一砕きファン２６が固定的に設置され、左右両側の前記第一砕きファン２６が互いに作動し合って古紙を砕き、前記縦向き砕き軸２７の底端にはいずれも前記動力チャンバ３１の中に位置している従動ベベルギヤ２８が固定的に設置され、
前記従動ベベルギヤ２８の回転によって、前記縦向き砕き軸２７が前記第一砕きファン２６を回転連動させ、更に古紙を砕いて細かくさせる。
【００２１】
有益な又は例示のように、前記動力機構６２は第一モーター１１を含み、前記第一モーター１１が左側の前記ベルトチャンバ４９の左壁の中に固定的に嵌められ、前記動力チャンバ３１の中には左右に伸びるように設置された動力軸２９が回転できるように設置され、前記動力軸２９の左端が左側の前記ベルトチャンバ４９の中に伸びており、且つ前記第一モーター１１と動力が伝達できるように連結され、前記動力軸２９の右側の伸びている部分が右側の前記ベルトチャンバ４９の中に伸びており、二つの前記ベルトチャンバ４９の中の前記動力軸２９の外周にはいずれも動力プーリ５１が固定的に設置され、前記動力プーリ５１と前記従動プーリ４７とがベルト５０によって連結され、前記動力チャンバ３１の中の前記動力軸２９の外周には二つの左右対称の動力ベベルギヤ３０が固定的に設置され、前記動力ベベルギヤ３０と前記従動ベベルギヤ２８とが噛み合っており、二つの前記動力ベベルギヤ３０の間の前記動力軸２９の外周には伝動ベベルギヤ３２が固定的に設置され、
前記第一モーター１１を制御して作動させることによって、前記動力機構６２が前記砕き機構６１に動力を提供する。
【００２２】
有益な又は例示のように、前記砕きチャンバ２３と前記撹拌チャンバ１５との間が通路１７によって連通され、前記通路１７の中部部分が後ろに曲がって前記動力軸２９の後側を経由し、前記通路１７の左側壁体には空気圧縮ポンプ１６が設置され、
前記空気圧縮ポンプ１６は古紙を前記砕きチャンバ２３から前記撹拌チャンバ１５の中に吸い込むことができる。
【００２３】
有益な又は例示のように、前記撹拌機構６３は前記撹拌チャンバ１５と前記動力チャンバ３１との間に回転できるように設置された撹拌軸２２を含み、前記撹拌軸２２は上下に伸びるように設置され、前記撹拌軸２２の頂端には前記動力チャンバ３１の中に位置している底部ベベルギヤ３３が固定的に設置され、前記底部ベベルギヤ３３と前記伝動ベベルギヤ３２とが噛み合っており、前記撹拌チャンバ１５の中に位置している前記撹拌軸２２の外周には三つの撹拌ファン２１が固定的に設置され、前記撹拌ファン２１は古紙を水と混合剤と均等になるように撹拌できる。
【００２４】
有益な又は例示のように、前記撹拌チャンバ１５の左側壁体には水入り管路１４が設置され、前記水入り管路１４の中にはウォーターパイプ１３が固定的に設置され、前記水入り管路１４の左側が外部の水源と連通している。
【００２５】
有益な又は例示のように、前記止め板３５が前記スライド溝４１の中にスライドできるように設置され、前記止め板３５の底端には復帰機構３６が固定的に設置され、前記スライド溝４１の右側には小空きチャンバ３８が連通するように設置され、前記小空きチャンバ３８の頂壁の中には第二モーター４０が固定的に嵌められ、前記第二モーター４０の底端にはリール３９が動力が伝達できるように連結され、前記リール３９と前記止め板３５の右端との間が引き紐３７によって連結され、
前記第二モーター４０を制御して作動させることによって、前記リール３９が回転し、更に止め板３５が右方へスライドし、それによって前記パルプ出し口２０を開けることができ、更にパルプは流れ出すことができる。
【００２６】
有益な又は例示のように、前記主体１０の底端には古紙出し管路１９が固定的に設置され、前記古紙出し管路１９によって外部空間と前記パルプ出し口２０とが連通され、前記主体１０の頂端には送り込みホッパ２４が固定的に設置され、前記送り込みホッパ２４には蓋２５が設置され、
前記蓋２５は古紙が前記砕きチャンバ２３から跳ね出すことを防止できる。
【００２７】
有益な又は例示のように、前記混合剤ケース１８の中には圧力かけチャンバ７１が設置され、前記圧力かけチャンバ７１の右側には混合剤チャンバ７３が設置され、前記混合剤チャンバ７３の中には混合剤が貯蔵されており、前記圧力かけチャンバ７１の右側内壁にはクランク軸チャンバ７４が設置され、前記クランク軸チャンバ７４の底壁の中にはクランク軸モーター７９が固定的に嵌められ、前記クランク軸モーター７９の頂端にはクランク軸７８が動力が伝達できるように連結され、前記クランク軸７８の外周にはコンロッド８１が回転できるように設置され、前記圧力かけチャンバ７１の中には弾性中空ボール７６が固定的に設置され、前記弾性中空ボール７６の上側には連通パイプ７２が連通するように設置され、前記連通パイプ７２のもうひとつの側が前記混合剤チャンバ７３の中に伸びており、前記弾性中空ボール７６の底部と前記撹拌チャンバ１５とが連通しており、前記クランク軸チャンバ７４の中には凸面スライド板７７がスライドできるように設置され、前記凸面スライド板７７の右側面には固定ロッド８０が固定的に設置され、前記固定ロッド８０と前記コンロッド８１とがヒンジで連結され、
前記クランク軸モーター７９を制御して作動させることによって、前記クランク軸７８は前記凸面スライド板７７を往復して運動連動させ、更に前記凸面スライド板７７が前記弾性中空ボール７６に圧力をかけ、それによって前記混合剤チャンバ７３の中の混合剤を前記混合剤チャンバ７３の中から前記弾性中空ボール７６の中に入らせてから前記撹拌チャンバ１５の中に入らせ、古紙と水とが混合した後に一定の粘着性を持つようになる。
【００２８】
使用の時、最初に蓋２５を開け、古紙を送り込みホッパ２４によって砕きチャンバ２３の中に送り、その後、第一モーター１１を制御して作動させ、動力軸２９に動力ベベルギヤ３０を回転連動させ、更に従動ベベルギヤ２８を回転させ、縦向き砕き軸２７を回転させ、それによって第一砕きファン２６に砕く作業を行わせ、動力プーリ５１が従動プーリ４７を回転連動させ、それによって第二砕きファン４２に砕く作業を行わせ、それを完成した後に空気圧縮ポンプ１６を制御して作動させ、砕きチャンバ２３の中の古紙を通路１７を経由して撹拌チャンバ１５の中に入らせ、伝動ベベルギヤ３２が底部ベベルギヤ３３を回転連動させ、更に撹拌軸２２を回転させ、撹拌ファン２１に撹拌を行わせ、且つ混合剤ケース１８を作動させ、撹拌チャンバ１５の中に混合剤を注ぎ、ウォーターパイプ１３が作動し、水を外部空間から撹拌チャンバ１５の中に吸い込み、水と混合剤と古紙とをパルプに撹拌した後、第二モーター４０を制御して作動させ、リール３９に止め板３５を右方へ移動連動させ、更にパルプ出し口２０を開け、パルプがパルプ出し通路１９から次の工程に入る。
【００２９】
本発明の有益な効果は：本発明の古紙の回収再利用設備は古紙を砕くことができ、また複数の第二砕きファンと第一砕きファンとを設置することによって、古紙への砕く作業はより細かくなり、それによって古紙をパルプに生成させることに便利を与え、撹拌機構は混合剤と、水と、古紙とを十分に均等的に混合攪拌してパルプの状態にさせることができ、また止め板の機構のデザインによってパルプを手動で取り出す必要はなく、第二モーターを制御して作動させればよく、パルプを古紙出し通路を次の工程に流すことに便利であり、その他、砕き機構と撹拌機構との間が互いに連動し、砕き機構と撹拌機構とがいずれも動力機構によって動力を提供し、それによってデザインがより巧妙で、モーターの数を省き、コストを制御する。
【００３０】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【図１】
2020200568.tif 000003
【図２】
2020200568.tif 000004
【図３】
2020200568.tif 000005
【図４】
2020200568.tif 000006
【図５】
2020200568.tif 000007
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
正面視で、本体を含み、前記本体の中には砕きチャンバが設置され、前記砕きチャンバの中には古紙を細かく砕くことができる砕き機構が設置され、前記砕き機構は水平に回転する第一砕きファンと鉛直に回転する第二砕きファンとを含み、前記第一砕きファンと前記第二砕きファンとがいずれも複数設置され、古紙をより細かく砕くことができ、前記砕きチャンバの底壁の中には動力チャンバが設置され、前記動力チャンバの中には動力機構が設置され、前記動力チャンバの底部の前記本体の中には撹拌チャンバが設置され、前記撹拌チャンバの中には撹拌機構が設置され、前記撹拌機構は水を古紙と混合することができ、前記動力機構は前記砕き機構と前記撹拌機構とに動力を提供でき、
前記撹拌チャンバの右壁には混合剤ケースが取り外し可能に設置され、前記混合剤ケースは前記撹拌チャンバの中に混合剤を加えることができ、パルプが一定の粘着性を持ち、、前記撹拌チャンバの底壁には下方に伸びるように設置されたパルプ出し口が設置され、前記パルプ出し口の底部は開口しており、均等的に混合されたパルプは前記撹拌チャンバから流し出すことができ、前記パルプ出し口の右壁にはスライド溝が形成されており、前記スライド溝の中には止め板が設置され、前記止め板は前記パルプ出し口を閉鎖することができ、
前記砕きチャンバの左右両側端壁の中にはいずれも伝動チャンバが設置され、二つの前記伝動チャンバの互いに離れている片側にはいずれもベルトチャンバが設置され、各前記ベルトチャンバと前記砕きチャンバとの間にはいずれも左右に伸びるように設置された長軸が回転できるように設置され、前記第二砕きファンが前記長軸の外周に固定的に設置され、且つ前記第二砕きファンが前記砕きチャンバの中に位置しており、前記ベルトチャンバの中に位置している前記長軸の外周には従動プーリが固定的に設置され、前記伝動チャンバの中に位置している前記長軸の外周には動力ギヤが固定的に設置され、前記長軸の上下両側にはいずれも短軸が回転できるように設置され、前記動力ギヤが前記短軸の右端に固定的に設置され、前記短軸の片側末端にはまた前記第二砕きファンが固定的に設置され、上側と、中間と、下側との三つの前記第二砕きファンが互いに作動し合って古紙を砕き、前記短軸のもう片側には従動ギヤが固定的に設置され、前記従動ギヤが前記動力ギヤと噛み合っており、
前記動力チャンバの頂壁には二つの縦向き砕き軸が回転できるように設置され、二つの前記縦向き砕き軸がいずれも上下に伸びるように設置され、前記砕きチャンバの中の前記縦向き砕き軸の外周にはいずれも前記第一砕きファンが固定的に設置され、左右両側の前記第一砕きファンが互いに作動し合って古紙を砕き、前記縦向き砕き軸の底端にはいずれも前記動力チャンバの中に位置している従動ベベルギヤが固定的に設置され、
前記動力機構は第一モーターを含み、前記第一モーターが左側の前記ベルトチャンバの左壁の中に固定的に嵌められ、前記動力チャンバの中には左右に伸びるように設置された動力軸が回転できるように設置され、前記動力軸の左端が左側の前記ベルトチャンバの中に伸びており、且つ前記第一モーターと動力が伝達できるように連結され、前記動力軸の右側の伸びている部分が右側の前記ベルトチャンバの中に伸びており、二つの前記ベルトチャンバの中の前記動力軸の外周にはいずれも動力プーリが固定的に設置され、前記動力プーリと前記従動プーリとがベルトによって連結され、前記動力チャンバの中の前記動力軸の外周には二つの左右対称の動力ベベルギヤが固定的に設置され、前記動力ベベルギヤと前記従動ベベルギヤとが噛み合っており、二つの前記動力ベベルギヤの間の前記動力軸の
外周には伝動ベベルギヤが固定的に設置され、
前記砕きチャンバと前記撹拌チャンバとの間が通路によって連通され、前記通路の中部部分が後ろに曲がって前記動力軸の後側を経由し、前記通路の左側壁体には空気圧縮ポンプが設置され、前記空気圧縮ポンプは古紙を前記砕きチャンバから前記撹拌チャンバの中に吸い込むことができ、
前記撹拌機構は前記撹拌チャンバと前記動力チャンバとの間に回転できるように設置された撹拌軸を含み、前記撹拌軸は上下に伸びるように設置され、前記撹拌軸の頂端には前記動力チャンバの中に位置している底部ベベルギヤが固定的に設置され、前記底部ベベルギヤと前記伝動ベベルギヤとが噛み合っており、前記撹拌チャンバの中に位置している前記撹拌軸の外周には三つの撹拌ファンが固定的に設置され、
前記撹拌チャンバの左側壁体には水入り管路が設置され、前記水入り管路の中にはウォーターパイプが固定的に設置され、前記水入り管路の左側が外部の水源と連通しており、
前記止め板が前記スライド溝の中にスライドできるように設置され、前記止め板の底端には復帰機構が固定的に設置され、前記スライド溝の右側には小空きチャンバが連通するように設置され、前記小空きチャンバの頂壁の中には第二モーターが固定的に嵌められ、前記第二モーターの底端にはリールが動力が伝達できるように連結され、前記リールと前記止め板の右端との間が引き紐によって連結され、
前記本体の底端には古紙出し管路が固定的に設置され、前記古紙出し管路によって外部空間と前記パルプ出し口とが連通され、前記本体の頂端には送り込みホッパが固定的に設置され、前記送り込みホッパには蓋が設置され、
前記混合剤ケースの中には圧力かけチャンバが設置され、前記圧力かけチャンバの右側には混合剤チャンバが設置され、前記混合剤チャンバの中には混合剤が貯蔵されており、前記圧力かけチャンバの右側内壁にはクランク軸チャンバが設置され、前記クランク軸チャンバの底壁の中にはクランク軸モーターが固定的に嵌められ、前記クランク軸モーターの頂端にはクランク軸が動力が伝達できるように連結され、前記クランク軸の外周にはコンロッドが回転できるように設置され、前記圧力かけチャンバの中には弾性中空ボールが固定的に設置され、前記弾性中空ボールの上側には連通パイプが連通するように設置され、前記連通パイプのもうひとつの側が前記混合剤チャンバの中に伸びており、前記弾性中空ボールの底部と前記撹拌チャンバとが連通しており、前記クランク軸チャンバの中には凸面スライド板がスライドできるように設置され、前記凸面スライド板の右側面には固定ロッドが固定的に設置され、前記固定ロッドと前記コンロッドとがヒンジで連結されていることを特徴とする古紙を快速に回収して再利用する設備。
【手続補正２】
【補正対象書類名】明細書
【補正対象項目名】全文
【補正方法】変更
【補正の内容】
【発明の詳細な説明】
【技術分野】
【０００１】
本発明は古紙の回収技術分野に関わり、具体的には古紙を快速に回収して再利用する設備である。
【背景技術】
【０００２】
古紙は、生産生活の中で使用された後に廃棄された循環できて再生可能な資源を一般的に指し、それは上等紙やボール紙や廃棄紙箱や切断紙や梱包紙や企業事務所用紙や工程用紙や刊行物やなどを含む。
我が国では、古紙の循環再利用の程度は西側先進国と比べてより低く、多数の古紙は直接にゴミとして燃やされ又は埋め立てられ、こうして大量の資源を浪費し、古紙は着火点が低く、マッチ棒に作られることができ、従って、古紙を快速に砕いてパルプに作り出す設備をデザインする必要があり、それはマッチ棒の作りに便利を与える。
【先行技術文献】
【特許文献】
【０００３】
【特許文献１】中国特許出願公開第１０８６４２９３９号明細書
【発明の概要】
【発明が解決しようとする課題】
【０００４】
本発明は古紙を快速に回収して再利用する設備を提供し、既存技術にある上記欠点を解消することを目的とする。
【課題を解決するための手段】
【０００５】
本発明の実施例の古紙を快速に回収して再利用する設備は、本体を含み、前記本体の中には砕きチャンバが設置され、前記砕きチャンバの中には古紙を細かく砕くことができる砕き機構が設置され、前記砕き機構は水平に回転する第一砕きファンと鉛直に回転する第二砕きファンとを含み、前記第一砕きファンと前記第二砕きファンとがいずれも複数設置され、、古紙をより細かく砕くことができ、前記砕きチャンバの底壁の中には動力チャンバが設置され、前記動力チャンバの中には動力機構が設置され、前記動力チャンバの底部の前記本体の中には撹拌チャンバが設置され、前記撹拌チャンバの中には撹拌機構が設置され、前記撹拌機構は水を古紙と混合することができ、前記動力機構は前記砕き機構と前記撹拌機構とに動力を提供でき、前記撹拌チャンバの右壁には混合剤ケースが取り外し可能に設置され、前記混合剤ケースは前記撹拌チャンバの中に混合剤を加えることができ、パルプが一定の粘着性を持ち、前記撹拌チャンバの底壁には下方に伸びるように設置されたパルプ出し口が設置され、前記パルプ出し口の底部は開口しており、均等的に混合されたパルプは前記撹拌チャンバから流し出すことができ、前記パルプ出し口の右壁にはスライド溝が形成されており、前記スライド溝の中には止め板が設置され、前記止め板は前記パルプ出し口を閉鎖することができる。
【０００６】
さらなる技術プランには、前記砕きチャンバの左右両側端壁の中にはいずれも伝動チャンバが設置され、二つの前記伝動チャンバの互いに離れている片側にはいずれもベルトチャンバが設置され、各前記ベルトチャンバと前記砕きチャンバとの間にはいずれも左右に伸びるように設置された長軸が回転できるように設置され、前記第二砕きファンが前記長軸の外周に固定的に設置され、且つ前記第二砕きファンが前記砕きチャンバの中に位置しており、前記ベルトチャンバの中に位置している前記長軸の外周には従動プーリが固定的に設置され、前記伝動チャンバの中に位置している前記長軸の外周には動力ギヤが固定的に設置され、前記長軸の上下両側にはいずれも短軸が回転できるように設置され、前記動力ギヤが前記短軸の右端に固定的に設置され、前記短軸の片側末端にはまた前記第二砕きファンが固定的に設置され、上側と、中間と、下側との三つの前記第二砕きファンが互いに作動し合って古紙を砕き、前記短軸のもう片側には従動ギヤが固定的に設置され、前記従動ギヤが前記動力ギヤと噛み合っている。
【０００７】
さらなる技術プランには、前記動力チャンバの頂壁には二つの縦向き砕き軸が回転できるように設置され、二つの前記縦向き砕き軸がいずれも上下に伸びるように設置され、前記砕きチャンバの中の前記縦向き砕き軸の外周にはいずれも前記第一砕きファンが固定的に設置され、左右両側の前記第一砕きファンが互いに作動し合って古紙を砕き、前記縦向き砕き軸の底端にはいずれも前記動力チャンバの中に位置している従動ベベルギヤが固定的に設置されている。
【０００８】
さらなる技術プランには、前記動力機構は第一モーターを含み、前記第一モーターが左側の前記ベルトチャンバの左壁の中に固定的に嵌められ、前記動力チャンバの中には左右に伸びるように設置された動力軸が回転できるように設置され、前記動力軸の左端が左側の前記ベルトチャンバの中に伸びており、且つ前記第一モーターと動力が伝達できるように連結され、前記動力軸の右側の伸びている部分が右側の前記ベルトチャンバの中に伸びており、二つの前記ベルトチャンバの中の前記動力軸の外周にはいずれも動力プーリが固定的に設置され、前記動力プーリと前記従動プーリとがベルトによって連結され、前記動力チャンバの中の前記動力軸の外周には二つの左右対称の動力ベベルギヤが固定的に設置され、前記動力ベベルギヤと前記従動ベベルギヤとが噛み合っており、二つの前記動力ベベルギヤの間の前記動力軸の外周には伝動ベベルギヤが固定的に設置されている。
【０００９】
さらなる技術プランには、前記砕きチャンバと前記撹拌チャンバとの間が通路によって連通され、前記通路の中部部分が後ろに曲がって前記動力軸の後側を経由し、前記通路の左側壁体には空気圧縮ポンプが設置され、
前記空気圧縮ポンプは古紙を前記砕きチャンバから前記撹拌チャンバの中に吸い込むことができる。
【００１０】
さらなる技術プランには、前記撹拌機構は前記撹拌チャンバと前記動力チャンバとの間に回転できるように設置された撹拌軸を含み、前記撹拌軸は上下に伸びるように設置され、前記撹拌軸の頂端には前記動力チャンバの中に位置している底部ベベルギヤが固定的に設置され、前記底部ベベルギヤと前記伝動ベベルギヤとが噛み合っており、前記撹拌チャンバの中に位置している前記撹拌軸の外周には三つの撹拌ファンが固定的に設置されている。
【００１１】
さらなる技術プランには、前記撹拌チャンバの左側壁体には水入り管路が設置され、前記水入り管路の中にはウォーターパイプが固定的に設置され、前記水入り管路の左側が外部の水源と連通している。
【００１２】
さらなる技術プランには、前記止め板が前記スライド溝の中にスライドできるように設置され、前記止め板の底端には復帰機構が固定的に設置され、前記スライド溝の右側には小空きチャンバが連通するように設置され、前記小空きチャンバの頂壁の中には第二モーターが固定的に嵌められ、前記第二モーターの底端にはリールが動力が伝達できるように連結され、前記リールと前記止め板の右端との間が引き紐によって連結されている。
【００１３】
さらなる技術プランには、前記本体の底端には古紙出し管路が固定的に設置され、前記古紙出し管路によって外部空間と前記パルプ出し口とが連通され、前記本体の頂端には送り込みホッパが固定的に設置され、前記送り込みホッパには蓋が設置されている。
【００１４】
さらなる技術プランには、前記混合剤ケースの中には圧力かけチャンバが設置され、前記圧力かけチャンバの右側には混合剤チャンバが設置され、前記混合剤チャンバの中には混合剤が貯蔵されており、前記圧力かけチャンバの右側内壁にはクランク軸チャンバが設置され、前記クランク軸チャンバの底壁の中にはクランク軸モーターが固定的に嵌められ、前記クランク軸モーターの頂端にはクランク軸が動力が伝達できるように連結され、前記クランク軸の外周にはコンロッドが回転できるように設置され、前記圧力かけチャンバの中には弾性中空ボールが固定的に設置され、前記弾性中空ボールの上側には連通パイプが連通するように設置され、前記連通パイプのもうひとつの側が前記混合剤チャンバの中に伸びており、前記弾性中空ボールの底部と前記撹拌チャンバとが連通しており、前記クランク軸チャンバの中には凸面スライド板がスライドできるように設置され、前記凸面スライド板の右側面には固定ロッドが固定的に設置され、前記固定ロッドと前記コンロッドとがヒンジで連結されている。
【発明の効果】
【００１５】
本発明の有益な効果は：本発明の古紙の回収再利用設備は古紙を砕くことができ、また複数の第二砕きファンと第一砕きファンとを設置することによって、古紙への砕く作業はより細かくなり、古紙をパルプに生成させることに便利を与え、撹拌機構は混合剤と、水と、古紙とを十分に均等的に混合攪拌してパルプの状態にさせることができ、また止め板の機構のデザインによってパルプを手動で取り出す必要はなく、第二モーターを制御して作動させればよく、パルプを古紙出し通路を次の工程に流すことに便利であり、その他、砕き機構と撹拌機構との間が互いに連動し、砕き機構と撹拌機構とがいずれも動力機構によって動力を提供し、デザインがより巧妙で、モーターの数を省き、コストを制御する。
【図面の簡単な説明】
【００１６】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明の古紙を快速に回収して再利用する設備の内部全体構成概略図
【図２】図２は本発明の中の動力機構のところの部分拡大概略図
【図３】図３は本発明の図１の中のＡの部分拡大概略図
【図４】図４は本発明の図１の中のＢの部分拡大概略図
【図５】図５は本発明の中の混合剤ケースの内部構成概略図
【発明を実施するための形態】
【００１８】
図１〜５を参照し、本発明の実施例の古紙を快速に回収して再利用する設備は、本体１０を含み、前記本体１０の中には砕きチャンバ２３が設置され、前記砕きチャンバ２３の中には古紙を細かく砕くことができる砕き機構６１が設置され、前記砕き機構６１は水平に回転する第一砕きファン２６と鉛直に回転する第二砕きファン４２とを含み、前記第一砕きファン２６と前記第二砕きファン４２とがいずれも複数設置され、古紙をより細かく砕くことができ、前記砕きチャンバ２３の底壁の中には動力チャンバ３１が設置され、前記動力チャンバ３１の中には動力機構６２が設置され、前記動力チャンバ３１の底部の前記本体１０の中には撹拌チャンバ１５が設置され、前記撹拌チャンバ１５の中には撹拌機構６３が設置され、前記撹拌機構６３は水を古紙と混合することができ、前記動力機構６２は前記砕き機構６１と前記撹拌機構６３とに動力を提供でき、前記撹拌チャンバ１５の右壁には混合剤ケース１８が取り外し可能に設置され、前記混合剤ケース１８は前記撹拌チャンバ１５の中に混合剤を加えることができ、パルプが一定の粘着性を持ち、、前記撹拌チャンバ１５の底壁には下方に伸びるように設置されたパルプ出し口２０が設置され、前記パルプ出し口２０の底部は開口しており、均等的に混合されたパルプは前記撹拌チャンバ１５から流し出すことができ、前記パルプ出し口２０の右壁にはスライド溝４１が形成されており、前記スライド溝４１の中には止め板３５が設置され、前記止め板３５は前記パルプ出し口２０を閉鎖することができる。
【００１９】
有益な又は例示のように、前記砕きチャンバ２３の左右両側端壁の中にはいずれも伝動チャンバ４４が設置され、二つの前記伝動チャンバ４４の互いに離れている片側にはいずれもベルトチャンバ４９が設置され、各前記ベルトチャンバ４９と前記砕きチャンバ２３との間にはいずれも左右に伸びるように設置された長軸４８が回転できるように設置され、前記第二砕きファン４２が前記長軸４８の外周に固定的に設置され、且つ前記第二砕きファン４２が前記砕きチャンバ２３の中に位置しており、前記ベルトチャンバ４９の中に位置している前記長軸４８の外周には従動プーリ４７が固定的に設置され、前記伝動チャンバ４４の中に位置している前記長軸４８の外周には動力ギヤ４６が固定的に設置され、前記長軸４８の上下両側にはいずれも短軸４５が回転できるように設置され、前記動力ギヤ４６が前記短軸４５の右端に固定的に設置され、前記短軸４５の片側末端にはまた前記第二砕きファン４２が固定的に設置され、上側と、中間と、下側との三つの前記第二砕きファン４２が互いに作動し合って古紙を砕き、前記短軸４５のもう片側には従動ギヤ４３が固定的に設置され、前記従動ギヤ４３が前記動力ギヤ４６と噛み合っており、
前記長軸４８の回転によって、前記第二砕きファン４２が古紙を紙の切れ端に砕く。
【００２０】
有益な又は例示のように、前記動力チャンバ３１の頂壁には二つの縦向き砕き軸２７が回転できるように設置され、二つの前記縦向き砕き軸２７がいずれも上下に伸びるように設置され、前記砕きチャンバ２３の中の前記縦向き砕き軸２７の外周にはいずれも前記第一砕きファン２６が固定的に設置され、左右両側の前記第一砕きファン２６が互いに作動し合って古紙を砕き、前記縦向き砕き軸２７の底端にはいずれも前記動力チャンバ３１の中に位置している従動ベベルギヤ２８が固定的に設置され、
前記従動ベベルギヤ２８の回転によって、前記縦向き砕き軸２７が前記第一砕きファン２６を回転連動させ、更に古紙を砕いて細かくさせる。
【００２１】
有益な又は例示のように、前記動力機構６２は第一モーター１１を含み、前記第一モーター１１が左側の前記ベルトチャンバ４９の左壁の中に固定的に嵌められ、前記動力チャンバ３１の中には左右に伸びるように設置された動力軸２９が回転できるように設置され、前記動力軸２９の左端が左側の前記ベルトチャンバ４９の中に伸びており、且つ前記第一モーター１１と動力が伝達できるように連結され、前記動力軸２９の右側の伸びている部分が右側の前記ベルトチャンバ４９の中に伸びており、二つの前記ベルトチャンバ４９の中の前記動力軸２９の外周にはいずれも動力プーリ５１が固定的に設置され、前記動力プーリ５１と前記従動プーリ４７とがベルト５０によって連結され、前記動力チャンバ３１の中の前記動力軸２９の外周には二つの左右対称の動力ベベルギヤ３０が固定的に設置され、前記動力ベベルギヤ３０と前記従動ベベルギヤ２８とが噛み合っており、二つの前記動力ベベルギヤ３０の間の前記動力軸２９の外周には伝動ベベルギヤ３２が固定的に設置され、
前記第一モーター１１を制御して作動させることによって、前記動力機構６２が前記砕き機構６１に動力を提供する。
【００２２】
有益な又は例示のように、前記砕きチャンバ２３と前記撹拌チャンバ１５との間が通路１７によって連通され、前記通路１７の中部部分が後ろに曲がって前記動力軸２９の後側を経由し、前記通路１７の左側壁体には空気圧縮ポンプ１６が設置され、
前記空気圧縮ポンプ１６は古紙を前記砕きチャンバ２３から前記撹拌チャンバ１５の中に吸い込むことができる。
【００２３】
有益な又は例示のように、前記撹拌機構６３は前記撹拌チャンバ１５と前記動力チャンバ３１との間に回転できるように設置された撹拌軸２２を含み、前記撹拌軸２２は上下に伸びるように設置され、前記撹拌軸２２の頂端には前記動力チャンバ３１の中に位置している底部ベベルギヤ３３が固定的に設置され、前記底部ベベルギヤ３３と前記伝動ベベルギヤ３２とが噛み合っており、前記撹拌チャンバ１５の中に位置している前記撹拌軸２２の外周には三つの撹拌ファン２１が固定的に設置され、前記撹拌ファン２１は古紙を水と混合剤と均等になるように撹拌できる。
【００２４】
有益な又は例示のように、前記撹拌チャンバ１５の左側壁体には水入り管路１４が設置され、前記水入り管路１４の中にはウォーターパイプ１３が固定的に設置され、前記水入り管路１４の左側が外部の水源と連通している。
【００２５】
有益な又は例示のように、前記止め板３５が前記スライド溝４１の中にスライドできるように設置され、前記止め板３５の底端には復帰機構３６が固定的に設置され、前記スライド溝４１の右側には小空きチャンバ３８が連通するように設置され、前記小空きチャンバ３８の頂壁の中には第二モーター４０が固定的に嵌められ、前記第二モーター４０の底端にはリール３９が動力が伝達できるように連結され、前記リール３９と前記止め板３５の右端との間が引き紐３７によって連結され、
前記第二モーター４０を制御して作動させることによって、前記リール３９が回転し、更に止め板３５が右方へスライドし、前記パルプ出し口２０を開けることができ、更にパルプは流れ出すことができる。
【００２６】
有益な又は例示のように、前記本体１０の底端には古紙出し管路１９が固定的に設置され、前記古紙出し管路１９によって外部空間と前記パルプ出し口２０とが連通され、前記本体１０の頂端には送り込みホッパ２４が固定的に設置され、前記送り込みホッパ２４には蓋２５が設置され、
前記蓋２５は古紙が前記砕きチャンバ２３から跳ね出すことを防止できる。
【００２７】
有益な又は例示のように、前記混合剤ケース１８の中には圧力かけチャンバ７１が設置され、前記圧力かけチャンバ７１の右側には混合剤チャンバ７３が設置され、前記混合剤チャンバ７３の中には混合剤が貯蔵されており、前記圧力かけチャンバ７１の右側内壁にはクランク軸チャンバ７４が設置され、前記クランク軸チャンバ７４の底壁の中にはクランク軸モーター７９が固定的に嵌められ、前記クランク軸モーター７９の頂端にはクランク軸７８が動力が伝達できるように連結され、前記クランク軸７８の外周にはコンロッド８１が回転できるように設置され、前記圧力かけチャンバ７１の中には弾性中空ボール７６が固定的に設置され、前記弾性中空ボール７６の上側には連通パイプ７２が連通するように設置され、前記連通パイプ７２のもうひとつの側が前記混合剤チャンバ７３の中に伸びており、前記弾性中空ボール７６の底部と前記撹拌チャンバ１５とが連通しており、前記クランク軸チャンバ７４の中には凸面スライド板７７がスライドできるように設置され、前記凸面スライド板７７の右側面には固定ロッド８０が固定的に設置され、前記固定ロッド８０と前記コンロッド８１とがヒンジで連結され、
前記クランク軸モーター７９を制御して作動させることによって、前記クランク軸７８は前記凸面スライド板７７を往復して運動連動させ、更に前記凸面スライド板７７が前記弾性中空ボール７６に圧力をかけ、前記混合剤チャンバ７３の中の混合剤を前記混合剤チャンバ７３の中から前記弾性中空ボール７６の中に入らせてから前記撹拌チャンバ１５の中に入らせ、古紙と水とが混合した後に一定の粘着性を持つようになる。
【００２８】
使用の時、最初に蓋２５を開け、古紙を送り込みホッパ２４によって砕きチャンバ２３の中に送り、その後、第一モーター１１を制御して作動させ、動力軸２９に動力ベベルギヤ３０を回転連動させ、更に従動ベベルギヤ２８を回転させ、縦向き砕き軸２７を回転させ、第一砕きファン２６に砕く作業を行わせ、動力プーリ５１が従動プーリ４７を回転連動させ、第二砕きファン４２に砕く作業を行わせ、それを完成した後に空気圧縮ポンプ１６を制御して作動させ、砕きチャンバ２３の中の古紙を通路１７を経由して撹拌チャンバ１５の中に入らせ、伝動ベベルギヤ３２が底部ベベルギヤ３３を回転連動させ、更に撹拌軸２２を回転させ、撹拌ファン２１に撹拌を行わせ、且つ混合剤ケース１８を作動させ、撹拌チャンバ１５の中に混合剤を注ぎ、ウォーターパイプ１３が作動し、水を外部空間から撹拌チャンバ１５の中に吸い込み、水と混合剤と古紙とをパルプに撹拌した後、第二モーター４０を制御して作動させ、リール３９に止め板３５を右方へ移動連動させ、更にパルプ出し口２０を開け、パルプがパルプ出し通路１９から次の工程に入る。
【００２９】
本発明の有益な効果は：本発明の古紙の回収再利用設備は古紙を砕くことができ、また複数の第二砕きファンと第一砕きファンとを設置することによって、古紙への砕く作業はより細かくなり、古紙をパルプに生成させることに便利を与え、撹拌機構は混合剤と、水と、古紙とを十分に均等的に混合攪拌してパルプの状態にさせることができ、また止め板の機構のデザインによってパルプを手動で取り出す必要はなく、第二モーターを制御して作動させればよく、パルプを古紙出し通路を次の工程に流すことに便利であり、その他、砕き機構と撹拌機構との間が互いに連動し、砕き機構と撹拌機構とがいずれも動力機構によって動力を提供し、デザインがより巧妙で、モーターの数を省き、コストを制御する。
【００３０】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
正面視で、本体を含み、前記本体の中には砕きチャンバが設置され、前記砕きチャンバの中には古紙を細かく砕くことができる砕き機構が設置され、前記砕き機構は水平に回転する第一砕きファンと鉛直に回転する第二砕きファンとを含み、前記第一砕きファンと前記第二砕きファンとがいずれも複数設置され、古紙をより細かく砕くことができ、前記砕きチャンバの底壁の中には動力チャンバが設置され、前記動力チャンバの中には動力機構が設置され、前記動力チャンバの底部の前記本体の中には撹拌チャンバが設置され、前記撹拌チャンバの中には撹拌機構が設置され、前記撹拌機構は水を古紙と混合することができ、前記動力機構は前記砕き機構と前記撹拌機構とに動力を提供でき、
前記撹拌チャンバの右壁には混合剤ケースが取り外し可能に設置され、前記混合剤ケースは前記撹拌チャンバの中に混合剤を加えることができ、パルプが一定の粘着性を持ち、前記撹拌チャンバの底壁には下方に伸びるように設置されたパルプ出し口が設置され、前記パルプ出し口の底部は開口しており、均等的に混合されたパルプは前記撹拌チャンバから流し出すことができ、前記パルプ出し口の右壁にはスライド溝が形成されており、前記スライド溝の中には止め板が設置され、前記止め板は前記パルプ出し口を閉鎖することができ、
前記砕きチャンバの左右両側端壁の中にはいずれも伝動チャンバが設置され、二つの前記伝動チャンバの互いに離れている片側にはいずれもベルトチャンバが設置され、各前記ベルトチャンバと前記砕きチャンバとの間にはいずれも左右に伸びるように設置された長軸が回転できるように設置され、前記第二砕きファンが前記長軸の外周に固定的に設置され、且つ前記第二砕きファンが前記砕きチャンバの中に位置しており、前記ベルトチャンバの中に位置している前記長軸の外周には従動プーリが固定的に設置され、前記伝動チャンバの中に位置している前記長軸の外周には動力ギヤが固定的に設置され、前記長軸の上下両側にはいずれも短軸が回転できるように設置され、前記動力ギヤが前記短軸の右端に固定的に設置され、前記短軸の片側末端にはまた前記第二砕きファンが固定的に設置され、上側と、中間と、下側との三つの前記第二砕きファンが互いに作動し合って古紙を砕き、前記短軸のもう片側には従動ギヤが固定的に設置され、前記従動ギヤが前記動力ギヤと噛み合っており、
前記動力チャンバの頂壁には二つの縦向き砕き軸が回転できるように設置され、二つの前記縦向き砕き軸がいずれも上下に伸びるように設置され、前記砕きチャンバの中の前記縦向き砕き軸の外周にはいずれも前記第一砕きファンが固定的に設置され、左右両側の前記第一砕きファンが互いに作動し合って古紙を砕き、前記縦向き砕き軸の底端にはいずれも前記動力チャンバの中に位置している従動ベベルギヤが固定的に設置され、
前記動力機構は第一モーターを含み、前記第一モーターが左側の前記ベルトチャンバの左壁の中に固定的に嵌められ、前記動力チャンバの中には左右に伸びるように設置された動力軸が回転できるように設置され、前記動力軸の左端が左側の前記ベルトチャンバの中に伸びており、且つ前記第一モーターと動力が伝達できるように連結され、前記動力軸の右側の伸びている部分が右側の前記ベルトチャンバの中に伸びており、二つの前記ベルトチャンバの中の前記動力軸の外周にはいずれも動力プーリが固定的に設置され、前記動力プーリと前記従動プーリとがベルトによって連結され、前記動力チャンバの中の前記動力軸の外周には二つの左右対称の動力ベベルギヤが固定的に設置され、前記動力ベベルギヤと前記従動ベベルギヤとが噛み合っており、二つの前記動力ベベルギヤの間の前記動力軸の
外周には伝動ベベルギヤが固定的に設置され、
前記砕きチャンバと前記撹拌チャンバとの間が通路によって連通され、前記通路の中部部分が後ろに曲がって前記動力軸の後側を経由し、前記通路の左側壁体には空気圧縮ポンプが設置され、前記空気圧縮ポンプは古紙を前記砕きチャンバから前記撹拌チャンバの中に吸い込むことができ、
前記撹拌機構は前記撹拌チャンバと前記動力チャンバとの間に回転できるように設置された撹拌軸を含み、前記撹拌軸は上下に伸びるように設置され、前記撹拌軸の頂端には前記動力チャンバの中に位置している底部ベベルギヤが固定的に設置され、前記底部ベベルギヤと前記伝動ベベルギヤとが噛み合っており、前記撹拌チャンバの中に位置している前記撹拌軸の外周には三つの撹拌ファンが固定的に設置され、
前記撹拌チャンバの左側壁体には水入り管路が設置され、前記水入り管路の中にはウォーターパイプが固定的に設置され、前記水入り管路の左側が外部の水源と連通しており、
前記止め板が前記スライド溝の中にスライドできるように設置され、前記止め板の底端には復帰機構が固定的に設置され、前記スライド溝の右側には小空きチャンバが連通するように設置され、前記小空きチャンバの頂壁の中には第二モーターが固定的に嵌められ、前記第二モーターの底端にはリールが動力が伝達できるように連結され、前記リールと前記止め板の右端との間が引き紐によって連結され、
前記本体の底端には古紙出し管路が固定的に設置され、前記古紙出し管路によって外部空間と前記パルプ出し口とが連通され、前記本体の頂端には送り込みホッパが固定的に設置され、前記送り込みホッパには蓋が設置され、
前記混合剤ケースの中には圧力かけチャンバが設置され、前記圧力かけチャンバの右側には混合剤チャンバが設置され、前記混合剤チャンバの中には混合剤が貯蔵されており、前記圧力かけチャンバの右側内壁にはクランク軸チャンバが設置され、前記クランク軸チャンバの底壁の中にはクランク軸モーターが固定的に嵌められ、前記クランク軸モーターの頂端にはクランク軸が動力が伝達できるように連結され、前記クランク軸の外周にはコンロッドが回転できるように設置され、前記圧力かけチャンバの中には弾性中空ボールが固定的に設置され、前記弾性中空ボールの上側には連通パイプが連通するように設置され、前記連通パイプのもうひとつの側が前記混合剤チャンバの中に伸びており、前記弾性中空ボールの底部と前記撹拌チャンバとが連通しており、前記クランク軸チャンバの中には凸面スライド板がスライドできるように設置され、前記凸面スライド板の右側面には固定ロッドが固定的に設置され、前記固定ロッドと前記コンロッドとがヒンジで連結されていることを特徴とする古紙を快速に回収して再利用する設備。
【手続補正２】
【補正対象書類名】明細書
【補正対象項目名】全文
【補正方法】変更
【補正の内容】
【発明の詳細な説明】
【技術分野】
【０００１】
本発明は古紙の回収技術分野に関わり、具体的には古紙を快速に回収して再利用する設備である。
【背景技術】
【０００２】
古紙は、生産生活の中で使用された後に廃棄された循環できて再生可能な資源を一般的に指し、それは上等紙やボール紙や廃棄紙箱や切断紙や梱包紙や企業事務所用紙や工程用紙や刊行物やなどを含む。
我が国では、古紙の循環再利用の程度は西側先進国と比べてより低く、多数の古紙は直接にゴミとして燃やされ又は埋め立てられ、こうして大量の資源を浪費し、古紙は着火点が低く、マッチ棒に作られることができ、従って、古紙を快速に砕いてパルプに作り出す設備をデザインする必要があり、それはマッチ棒の作りに便利を与える。
【先行技術文献】
【特許文献】
【０００３】
【特許文献１】中国特許出願公開第１０８６４２９３９号明細書
【発明の概要】
【発明が解決しようとする課題】
【０００４】
本発明は古紙を快速に回収して再利用する設備を提供し、既存技術にある上記欠点を解消することを目的とする。
【課題を解決するための手段】
【０００５】
本発明の実施例の古紙を快速に回収して再利用する設備は、本体を含み、前記本体の中には砕きチャンバが設置され、前記砕きチャンバの中には古紙を細かく砕くことができる砕き機構が設置され、前記砕き機構は水平に回転する第一砕きファンと鉛直に回転する第二砕きファンとを含み、前記第一砕きファンと前記第二砕きファンとがいずれも複数設置され、古紙をより細かく砕くことができ、前記砕きチャンバの底壁の中には動力チャンバが設置され、前記動力チャンバの中には動力機構が設置され、前記動力チャンバの底部の前記本体の中には撹拌チャンバが設置され、前記撹拌チャンバの中には撹拌機構が設置され、前記撹拌機構は水を古紙と混合することができ、前記動力機構は前記砕き機構と前記撹拌機構とに動力を提供でき、前記撹拌チャンバの右壁には混合剤ケースが取り外し可能に設置され、前記混合剤ケースは前記撹拌チャンバの中に混合剤を加えることができ、パルプが一定の粘着性を持ち、前記撹拌チャンバの底壁には下方に伸びるように設置されたパルプ出し口が設置され、前記パルプ出し口の底部は開口しており、均等的に混合されたパルプは前記撹拌チャンバから流し出すことができ、前記パルプ出し口の右壁にはスライド溝が形成されており、前記スライド溝の中には止め板が設置され、前記止め板は前記パルプ出し口を閉鎖することができる。
【０００６】
さらなる技術プランには、前記砕きチャンバの左右両側端壁の中にはいずれも伝動チャンバが設置され、二つの前記伝動チャンバの互いに離れている片側にはいずれもベルトチャンバが設置され、各前記ベルトチャンバと前記砕きチャンバとの間にはいずれも左右に伸びるように設置された長軸が回転できるように設置され、前記第二砕きファンが前記長軸の外周に固定的に設置され、且つ前記第二砕きファンが前記砕きチャンバの中に位置しており、前記ベルトチャンバの中に位置している前記長軸の外周には従動プーリが固定的に設置され、前記伝動チャンバの中に位置している前記長軸の外周には動力ギヤが固定的に設置され、前記長軸の上下両側にはいずれも短軸が回転できるように設置され、前記動力ギヤが前記短軸の右端に固定的に設置され、前記短軸の片側末端にはまた前記第二砕きファンが固定的に設置され、上側と、中間と、下側との三つの前記第二砕きファンが互いに作動し合って古紙を砕き、前記短軸のもう片側には従動ギヤが固定的に設置され、前記従動ギヤが前記動力ギヤと噛み合っている。
【０００７】
さらなる技術プランには、前記動力チャンバの頂壁には二つの縦向き砕き軸が回転できるように設置され、二つの前記縦向き砕き軸がいずれも上下に伸びるように設置され、前記砕きチャンバの中の前記縦向き砕き軸の外周にはいずれも前記第一砕きファンが固定的に設置され、左右両側の前記第一砕きファンが互いに作動し合って古紙を砕き、前記縦向き砕き軸の底端にはいずれも前記動力チャンバの中に位置している従動ベベルギヤが固定的に設置されている。
【０００８】
さらなる技術プランには、前記動力機構は第一モーターを含み、前記第一モーターが左側の前記ベルトチャンバの左壁の中に固定的に嵌められ、前記動力チャンバの中には左右に伸びるように設置された動力軸が回転できるように設置され、前記動力軸の左端が左側の前記ベルトチャンバの中に伸びており、且つ前記第一モーターと動力が伝達できるように連結され、前記動力軸の右側の伸びている部分が右側の前記ベルトチャンバの中に伸びており、二つの前記ベルトチャンバの中の前記動力軸の外周にはいずれも動力プーリが固定的に設置され、前記動力プーリと前記従動プーリとがベルトによって連結され、前記動力チャンバの中の前記動力軸の外周には二つの左右対称の動力ベベルギヤが固定的に設置され、前記動力ベベルギヤと前記従動ベベルギヤとが噛み合っており、二つの前記動力ベベルギヤの間の前記動力軸の外周には伝動ベベルギヤが固定的に設置されている。
【０００９】
さらなる技術プランには、前記砕きチャンバと前記撹拌チャンバとの間が通路によって連通され、前記通路の中部部分が後ろに曲がって前記動力軸の後側を経由し、前記通路の左側壁体には空気圧縮ポンプが設置され、
前記空気圧縮ポンプは古紙を前記砕きチャンバから前記撹拌チャンバの中に吸い込むことができる。
【００１０】
さらなる技術プランには、前記撹拌機構は前記撹拌チャンバと前記動力チャンバとの間に回転できるように設置された撹拌軸を含み、前記撹拌軸は上下に伸びるように設置され、前記撹拌軸の頂端には前記動力チャンバの中に位置している底部ベベルギヤが固定的に設置され、前記底部ベベルギヤと前記伝動ベベルギヤとが噛み合っており、前記撹拌チャンバの中に位置している前記撹拌軸の外周には三つの撹拌ファンが固定的に設置されている。
【００１１】
さらなる技術プランには、前記撹拌チャンバの左側壁体には水入り管路が設置され、前記水入り管路の中にはウォーターパイプが固定的に設置され、前記水入り管路の左側が外部の水源と連通している。
【００１２】
さらなる技術プランには、前記止め板が前記スライド溝の中にスライドできるように設置され、前記止め板の底端には復帰機構が固定的に設置され、前記スライド溝の右側には小空きチャンバが連通するように設置され、前記小空きチャンバの頂壁の中には第二モーターが固定的に嵌められ、前記第二モーターの底端にはリールが動力が伝達できるように連結され、前記リールと前記止め板の右端との間が引き紐によって連結されている。
【００１３】
さらなる技術プランには、前記本体の底端には古紙出し管路が固定的に設置され、前記古紙出し管路によって外部空間と前記パルプ出し口とが連通され、前記本体の頂端には送り込みホッパが固定的に設置され、前記送り込みホッパには蓋が設置されている。
【００１４】
さらなる技術プランには、前記混合剤ケースの中には圧力かけチャンバが設置され、前記圧力かけチャンバの右側には混合剤チャンバが設置され、前記混合剤チャンバの中には混合剤が貯蔵されており、前記圧力かけチャンバの右側内壁にはクランク軸チャンバが設置され、前記クランク軸チャンバの底壁の中にはクランク軸モーターが固定的に嵌められ、前記クランク軸モーターの頂端にはクランク軸が動力が伝達できるように連結され、前記クランク軸の外周にはコンロッドが回転できるように設置され、前記圧力かけチャンバの中には弾性中空ボールが固定的に設置され、前記弾性中空ボールの上側には連通パイプが連通するように設置され、前記連通パイプのもうひとつの側が前記混合剤チャンバの中に伸びており、前記弾性中空ボールの底部と前記撹拌チャンバとが連通しており、前記クランク軸チャンバの中には凸面スライド板がスライドできるように設置され、前記凸面スライド板の右側面には固定ロッドが固定的に設置され、前記固定ロッドと前記コンロッドとがヒンジで連結されている。
【発明の効果】
【００１５】
本発明の有益な効果は：本発明の古紙の回収再利用設備は古紙を砕くことができ、また複数の第二砕きファンと第一砕きファンとを設置することによって、古紙への砕く作業はより細かくなり、古紙をパルプに生成させることに便利を与え、撹拌機構は混合剤と、水と、古紙とを十分に均等的に混合攪拌してパルプの状態にさせることができ、また止め板の機構のデザインによってパルプを手動で取り出す必要はなく、第二モーターを制御して作動させればよく、パルプを古紙出し通路を次の工程に流すことに便利であり、その他、砕き機構と撹拌機構との間が互いに連動し、砕き機構と撹拌機構とがいずれも動力機構によって動力を提供し、デザインがより巧妙で、モーターの数を省き、コストを制御する。
【図面の簡単な説明】
【００１６】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１７】
【図１】図１は本発明の古紙を快速に回収して再利用する設備の内部全体構成概略図
【図２】図２は本発明の中の動力機構のところの部分拡大概略図
【図３】図３は本発明の図１の中のＡの部分拡大概略図
【図４】図４は本発明の図１の中のＢの部分拡大概略図
【図５】図５は本発明の中の混合剤ケースの内部構成概略図
【発明を実施するための形態】
【００１８】
図１〜５を参照し、本発明の実施例の古紙を快速に回収して再利用する設備は、本体１０を含み、前記本体１０の中には砕きチャンバ２３が設置され、前記砕きチャンバ２３の中には古紙を細かく砕くことができる砕き機構６１が設置され、前記砕き機構６１は水平に回転する第一砕きファン２６と鉛直に回転する第二砕きファン４２とを含み、前記第一砕きファン２６と前記第二砕きファン４２とがいずれも複数設置され、古紙をより細かく砕くことができ、前記砕きチャンバ２３の底壁の中には動力チャンバ３１が設置され、前記動力チャンバ３１の中には動力機構６２が設置され、前記動力チャンバ３１の底部の前記本体１０の中には撹拌チャンバ１５が設置され、前記撹拌チャンバ１５の中には撹拌機構６３が設置され、前記撹拌機構６３は水を古紙と混合することができ、前記動力機構６２は前記砕き機構６１と前記撹拌機構６３とに動力を提供でき、前記撹拌チャンバ１５の右壁には混合剤ケース１８が取り外し可能に設置され、前記混合剤ケース１８は前記撹拌チャンバ１５の中に混合剤を加えることができ、パルプが一定の粘着性を持ち、前記撹拌チャンバ１５の底壁には下方に伸びるように設置されたパルプ出し口２０が設置され、前記パルプ出し口２０の底部は開口しており、均等的に混合されたパルプは前記撹拌チャンバ１５から流し出すことができ、前記パルプ出し口２０の右壁にはスライド溝４１が形成されており、前記スライド溝４１の中には止め板３５が設置され、前記止め板３５は前記パルプ出し口２０を閉鎖することができる。
【００１９】
有益な又は例示のように、前記砕きチャンバ２３の左右両側端壁の中にはいずれも伝動チャンバ４４が設置され、二つの前記伝動チャンバ４４の互いに離れている片側にはいずれもベルトチャンバ４９が設置され、各前記ベルトチャンバ４９と前記砕きチャンバ２３との間にはいずれも左右に伸びるように設置された長軸４８が回転できるように設置され、前記第二砕きファン４２が前記長軸４８の外周に固定的に設置され、且つ前記第二砕きファン４２が前記砕きチャンバ２３の中に位置しており、前記ベルトチャンバ４９の中に位置している前記長軸４８の外周には従動プーリ４７が固定的に設置され、前記伝動チャンバ４４の中に位置している前記長軸４８の外周には動力ギヤ４６が固定的に設置され、前記長軸４８の上下両側にはいずれも短軸４５が回転できるように設置され、前記動力ギヤ４６が前記短軸４５の右端に固定的に設置され、前記短軸４５の片側末端にはまた前記第二砕きファン４２が固定的に設置され、上側と、中間と、下側との三つの前記第二砕きファン４２が互いに作動し合って古紙を砕き、前記短軸４５のもう片側には従動ギヤ４３が固定的に設置され、前記従動ギヤ４３が前記動力ギヤ４６と噛み合っており、
前記長軸４８の回転によって、前記第二砕きファン４２が古紙を紙の切れ端に砕く。
【００２０】
有益な又は例示のように、前記動力チャンバ３１の頂壁には二つの縦向き砕き軸２７が回転できるように設置され、二つの前記縦向き砕き軸２７がいずれも上下に伸びるように設置され、前記砕きチャンバ２３の中の前記縦向き砕き軸２７の外周にはいずれも前記第一砕きファン２６が固定的に設置され、左右両側の前記第一砕きファン２６が互いに作動し合って古紙を砕き、前記縦向き砕き軸２７の底端にはいずれも前記動力チャンバ３１の中に位置している従動ベベルギヤ２８が固定的に設置され、
前記従動ベベルギヤ２８の回転によって、前記縦向き砕き軸２７が前記第一砕きファン２６を回転連動させ、更に古紙を砕いて細かくさせる。
【００２１】
有益な又は例示のように、前記動力機構６２は第一モーター１１を含み、前記第一モーター１１が左側の前記ベルトチャンバ４９の左壁の中に固定的に嵌められ、前記動力チャンバ３１の中には左右に伸びるように設置された動力軸２９が回転できるように設置され、前記動力軸２９の左端が左側の前記ベルトチャンバ４９の中に伸びており、且つ前記第一モーター１１と動力が伝達できるように連結され、前記動力軸２９の右側の伸びている部分が右側の前記ベルトチャンバ４９の中に伸びており、二つの前記ベルトチャンバ４９の中の前記動力軸２９の外周にはいずれも動力プーリ５１が固定的に設置され、前記動力プーリ５１と前記従動プーリ４７とがベルト５０によって連結され、前記動力チャンバ３１の中の前記動力軸２９の外周には二つの左右対称の動力ベベルギヤ３０が固定的に設置され、前記動力ベベルギヤ３０と前記従動ベベルギヤ２８とが噛み合っており、二つの前記動力ベベルギヤ３０の間の前記動力軸２９の外周には伝動ベベルギヤ３２が固定的に設置され、
前記第一モーター１１を制御して作動させることによって、前記動力機構６２が前記砕き機構６１に動力を提供する。
【００２２】
有益な又は例示のように、前記砕きチャンバ２３と前記撹拌チャンバ１５との間が通路１７によって連通され、前記通路１７の中部部分が後ろに曲がって前記動力軸２９の後側を経由し、前記通路１７の左側壁体には空気圧縮ポンプ１６が設置され、
前記空気圧縮ポンプ１６は古紙を前記砕きチャンバ２３から前記撹拌チャンバ１５の中に吸い込むことができる。
【００２３】
有益な又は例示のように、前記撹拌機構６３は前記撹拌チャンバ１５と前記動力チャンバ３１との間に回転できるように設置された撹拌軸２２を含み、前記撹拌軸２２は上下に伸びるように設置され、前記撹拌軸２２の頂端には前記動力チャンバ３１の中に位置している底部ベベルギヤ３３が固定的に設置され、前記底部ベベルギヤ３３と前記伝動ベベルギヤ３２とが噛み合っており、前記撹拌チャンバ１５の中に位置している前記撹拌軸２２の外周には三つの撹拌ファン２１が固定的に設置され、前記撹拌ファン２１は古紙を水と混合剤と均等になるように撹拌できる。
【００２４】
有益な又は例示のように、前記撹拌チャンバ１５の左側壁体には水入り管路１４が設置され、前記水入り管路１４の中にはウォーターパイプ１３が固定的に設置され、前記水入り管路１４の左側が外部の水源と連通している。
【００２５】
有益な又は例示のように、前記止め板３５が前記スライド溝４１の中にスライドできるように設置され、前記止め板３５の底端には復帰機構３６が固定的に設置され、前記スライド溝４１の右側には小空きチャンバ３８が連通するように設置され、前記小空きチャンバ３８の頂壁の中には第二モーター４０が固定的に嵌められ、前記第二モーター４０の底端にはリール３９が動力が伝達できるように連結され、前記リール３９と前記止め板３５の右端との間が引き紐３７によって連結され、
前記第二モーター４０を制御して作動させることによって、前記リール３９が回転し、更に止め板３５が右方へスライドし、前記パルプ出し口２０を開けることができ、更にパルプは流れ出すことができる。
【００２６】
有益な又は例示のように、前記本体１０の底端には古紙出し管路１９が固定的に設置され、前記古紙出し管路１９によって外部空間と前記パルプ出し口２０とが連通され、前記本体１０の頂端には送り込みホッパ２４が固定的に設置され、前記送り込みホッパ２４には蓋２５が設置され、
前記蓋２５は古紙が前記砕きチャンバ２３から跳ね出すことを防止できる。
【００２７】
有益な又は例示のように、前記混合剤ケース１８の中には圧力かけチャンバ７１が設置され、前記圧力かけチャンバ７１の右側には混合剤チャンバ７３が設置され、前記混合剤チャンバ７３の中には混合剤が貯蔵されており、前記圧力かけチャンバ７１の右側内壁にはクランク軸チャンバ７４が設置され、前記クランク軸チャンバ７４の底壁の中にはクランク軸モーター７９が固定的に嵌められ、前記クランク軸モーター７９の頂端にはクランク軸７８が動力が伝達できるように連結され、前記クランク軸７８の外周にはコンロッド８１が回転できるように設置され、前記圧力かけチャンバ７１の中には弾性中空ボール７６が固定的に設置され、前記弾性中空ボール７６の上側には連通パイプ７２が連通するように設置され、前記連通パイプ７２のもうひとつの側が前記混合剤チャンバ７３の中に伸びており、前記弾性中空ボール７６の底部と前記撹拌チャンバ１５とが連通しており、前記クランク軸チャンバ７４の中には凸面スライド板７７がスライドできるように設置され、前記凸面スライド板７７の右側面には固定ロッド８０が固定的に設置され、前記固定ロッド８０と前記コンロッド８１とがヒンジで連結され、
前記クランク軸モーター７９を制御して作動させることによって、前記クランク軸７８は前記凸面スライド板７７を往復して運動連動させ、更に前記凸面スライド板７７が前記弾性中空ボール７６に圧力をかけ、前記混合剤チャンバ７３の中の混合剤を前記混合剤チャンバ７３の中から前記弾性中空ボール７６の中に入らせてから前記撹拌チャンバ１５の中に入らせ、古紙と水とが混合した後に一定の粘着性を持つようになる。
【００２８】
使用の時、最初に蓋２５を開け、古紙を送り込みホッパ２４によって砕きチャンバ２３の中に送り、その後、第一モーター１１を制御して作動させ、動力軸２９に動力ベベルギヤ３０を回転連動させ、更に従動ベベルギヤ２８を回転させ、縦向き砕き軸２７を回転させ、第一砕きファン２６に砕く作業を行わせ、動力プーリ５１が従動プーリ４７を回転連動させ、第二砕きファン４２に砕く作業を行わせ、それを完成した後に空気圧縮ポンプ１６を制御して作動させ、砕きチャンバ２３の中の古紙を通路１７を経由して撹拌チャンバ１５の中に入らせ、伝動ベベルギヤ３２が底部ベベルギヤ３３を回転連動させ、更に撹拌軸２２を回転させ、撹拌ファン２１に撹拌を行わせ、且つ混合剤ケース１８を作動させ、撹拌チャンバ１５の中に混合剤を注ぎ、ウォーターパイプ１３が作動し、水を外部空間から撹拌チャンバ１５の中に吸い込み、水と混合剤と古紙とをパルプに撹拌した後、第二モーター４０を制御して作動させ、リール３９に止め板３５を右方へ移動連動させ、更にパルプ出し口２０を開け、パルプがパルプ出し通路１９から次の工程に入る。
【００２９】
本発明の有益な効果は：本発明の古紙の回収再利用設備は古紙を砕くことができ、また複数の第二砕きファンと第一砕きファンとを設置することによって、古紙への砕く作業はより細かくなり、古紙をパルプに生成させることに便利を与え、撹拌機構は混合剤と、水と、古紙とを十分に均等的に混合攪拌してパルプの状態にさせることができ、また止め板の機構のデザインによってパルプを手動で取り出す必要はなく、第二モーターを制御して作動させればよく、パルプを古紙出し通路を次の工程に流すことに便利であり、その他、砕き機構と撹拌機構との間が互いに連動し、砕き機構と撹拌機構とがいずれも動力機構によって動力を提供し、デザインがより巧妙で、モーターの数を省き、コストを制御する。
【００３０】
当業者は明確できることは、本出願の総体精神及び構想から離脱しない限り、上記実施例に各種の変型を行うことができる。それらの変型はいずれも本出願の保護範囲中にカバーすべきである。本出願の保護方案は本出願に添付した特許の請求の範囲を基準とするべきである。